(57)【特許請求の範囲】
【請求項１】
尿と接触することにより複数種類の色調に変化する色調変化部を備える試験紙と、この色調変化部の複数種類の色調変化情報と、生体情報の測定値との対応関係を示す複数の色調変化基準情報と、を共に撮像するための撮像装置を有し、
前記撮像装置で撮像された前記色調変化情報と前記色調変化基準情報を記憶し、前記色調変化情報を前記色調変化基準情報と比較し、当該前記色調変化情報に対応する当該前記色調変化基準情報を特定すると共に、
前記試験紙の使用期限情報を取得する使用期限情報取得部と、前記試験紙が空気中の水分を吸湿した場合にその旨を色変化で知らせる吸湿インジケータと、を備え、
前記撮像装置で撮像した前記吸湿インジケータの色変化が、試験ができない色変化であればその旨を報知し、
前記吸湿インジケータの色変化が、試験ができる色変化であれば、前記使用期限情報に基づき、前記試験紙の使用期限の到来の有無を判断し、使用期限が到来したときは、その旨を報知する構成となっていることを特徴とする尿試験情報取得装置。
【請求項２】
前記使用期限情報に基づいて、前記試験紙が、その使用期限前の所定期間内に該当するか否かを判断し、該当するときは、その旨の情報を報知する構成となっていることを特徴とする請求項１に記載の尿試験情報取得装置。
【請求項３】
前記撮像装置による撮像は、所定時間経過後に実行され、この所定時間は、生体情報毎に異なる時間が予め設定され、前記所定時間は、前記撮像装置が被検者の所定の動作を検知したことに基づき、時間測定が開始されることを特徴とする請求項１又は請求項２に記載の尿試験情報取得装置。
【請求項４】
複数の前記色調変化基準情報を表示部に表示させることができる構成となっている
ことを特徴とする請求項１乃至請求項３のいずれか１項に記載の尿試験情報取得装置。
【請求項５】
前記撮像装置で撮像した前記色調変化情報を前記色調変化基準情報と比較し、前記色調変化情報が正常範囲を逸脱しているか否かを判断し、正常範囲を逸脱しているときは、その旨を表示部に表示する構成となっていることを特徴とする請求項１乃至請求項３のいずれか１項に記載の尿試験情報取得装置。
【請求項６】
前記尿試験情報取得装置と、前記試験紙と、この試験紙を収容する試験紙収容部と、前記試験紙収容部を収容する包装部と、を有する尿試験紙情報管理システムであって、
前記試験紙収容部の表面には、判定用情報が配置され、この判定用情報には、前記試験紙を配置するための試験紙配置部と、この試験紙の前記色調変化基準情報が表示され、さらに、前記試験紙収容部の表面には、前記使用期限情報を有する使用期限情報記憶部が配置され、
前記包装部には、前記試験紙収容部を配置する容器配置部が形成されると共に、前記容器配置部に前記試験紙収容部を配置したときに、前記判定用情報の前記試験紙配置部に前記試験紙を配置可能な試験紙保持部が前記包装部に形成されていることを特徴とする請求項１乃至請求項５のいずれか１項に記載の尿試験情報取得装置を備える尿試験情報管理システム。
【発明の詳細な説明】
【技術分野】
【０００１】
本発明は、例えば、尿試験紙等で得られた情報を管理する尿試験情報取得装置及び尿試験情報管理システムに関するものである。
【背景技術】
【０００２】
従来より、腎臓病や糖尿病等の診断のために、尿たん白や尿糖の値を検査することは有効であることが知られている。そして、患者が、これらの検査を自宅等で簡易に行うための検査具として尿試験紙が広く用いられている（例えば、特許文献１）。
このような尿試験紙は、薬剤等が配置されている反応部を有し、この反応部に患者が尿をかけ、所定時間が経過した後の反応部の色調の変化（呈色反応）により、尿たん白や尿糖の値がどのようであるかを測定しようとするものである。
【先行技術文献】
【特許文献】
【０００３】
【特許文献１】特開平９−１０５７４７号公報
【発明の概要】
【発明が解決しようとする課題】
【０００４】
しかし、尿試験紙は、その呈色反応が正確に表れる使用期限が定められているが、被検者（使用者）は、この使用期限の確認を忘れて試験紙を使用する場合も多く、この場合は正確な検査ができないという問題があった。
【０００５】
そこで、本発明は、正確に尿検査を行うことができる尿試験情報取得装置及び尿試験情報管理システムを提供することを目的とする。
【課題を解決するための手段】
【０００６】
上記目的は、本発明にあっては、尿と接触することにより複数種類の色調に変化する色調変化部を備える試験紙と、この色調変化部の複数種類の色調変化情報と、生体情報の測定値との対応関係を示す複数の色調変化基準情報と、を共に撮像するための撮像装置を有し、前記撮像装置で撮像された前記色調変化情報と前記色調変化基準情報を記憶し、前記色調変化情報を前記色調変化基準情報と比較し、当該前記色調変化情報に対応する当該前記色調変化基準情報を特定すると共に、前記試験紙の使用期限情報を取得する使用期限情報取得部と、前記試験紙が空気中の水分を吸湿した場合にその旨を色変化で知らせる吸湿インジケータと、を備え、前記撮像装置で撮像した前記吸湿インジケータの色変化が、試験ができない色変化であればその旨を報知し、前記吸湿インジケータの色変化が、試験ができる色変化であれば、前記使用期限情報に基づき、前記試験紙の使用期限の到来の有無を判断し、使用期限が到来したときは、その旨を報知するする構成となっていることを特徴とする尿試験情報取得装置により達成される。
【０００７】
前記構成によれば、色調変化部の使用期限情報を取得する使用期限情報取得部と、試験紙が空気中の水分を吸湿した場合にその旨を色変化で知らせる吸湿インジケータと、を備え、撮像装置で撮像した吸湿インジケータの色変化が、試験ができない色変化であればその旨を報知し、吸湿インジケータの色変化が、試験ができる色変化であれば、使用期限情報に基づき、色調変化部の使用期限の到来の有無を判断し、使用期限が到来したときは、その旨を被検者（使用者）に報知する構成となっている。
色調変化部の使用期限の到来の有無を自動的に判断し、報知するので、使用者は、その使用期限を忘れて色調変化部を使用することを未然に防ぎ、正確に尿検査を行うことができる。
【０００８】
好ましくは、前記使用期限情報に基づいて、前記試験紙が、その使用期限前の所定期間内に該当するか否かを判断し、該当するときは、その旨の情報を被検者（使用者）に報知する構成となっていることを特徴とする。
【０００９】
前記構成によれば、使用期限情報に基づいて、色調変化部が、その使用期限前の所定期間内に該当するか否かを判断し、該当するときは、その旨の情報を報知する構成となっているので、使用期限到来が近いことを報知し、被検者（使用者）に注意を促すことができる。
【００１０】
好ましくは、前記撮像装置による撮像は、所定時間経過後に実行され、この所定時間は、生体情報毎に異なる時間が予め設定され、前記所定時間は、前記撮像装置が被検者の所定の動作を検知したことに基づき、時間測定が開始されることを特徴とする。
【００１１】
前記構成によれば、撮像装置による撮像は、所定時間経過後に実行され、この所定時間は、生体情報毎に異なる時間が予め設定され、所定時間は、撮像装置が被検者（使用者）の所定の動作を検知したことに基づき、時間測定が開始されるので、撮像までの予め設定されている所定時間における開始タイミングを被検者（使用者）が正確に制御することができる。
【００１２】
好ましくは、複数の前記色調変化基準情報を表示部に表示させることができる構成となっていることを特徴とする。
【００１３】
前記構成によれば、複数の色調変化基準情報を表示部に表示させることができる構成となっている。
すなわち、複数の色調変化基準情報が表示部に比較的大きく、かつ明確に表示されるので、被検者（使用者）等は、色調変化部の色調変化情報が、どの色調変化基準情報に該当するかを判断しやすい。
【００１４】
好ましくは、前記撮像装置で撮像した前記色調変化情報を前記色調変化基準情報と比較し、前記色調変化情報が正常範囲を逸脱しているか否かを判断し、正常範囲を逸脱しているときは、その旨を表示部に表示する構成となっていることを特徴とする。
【００１５】
前記構成によれば、撮像装置で撮像した色調変化情報を色調変化基準情報と比較し、尿糖等の色調変化情報が正常範囲を逸脱しているか否かを判断し、正常範囲を逸脱しているときは、その旨（尿糖が高いこと等）を表示部に表示する構成となっているので、尿試験を行った被検者（使用者）に迅速に高尿糖等の異変等を伝えることができ、病院等へ行くことを促すことが可能となる。
【００１６】
好ましくは、前記尿試験情報取得装置と、前記試験紙と、この試験紙を収容する試験紙収容部と、前記試験紙収容部を収容する包装部と、を有する尿試験紙情報管理システムであって、前記試験紙収容部の表面には、判定用情報が配置され、この判定用情報には、前記試験紙を配置するための試験紙配置部と、この試験紙の前記色調変化基準情報が表示され、さらに、前記試験紙収容部の表面には、前記使用期限情報を有する使用期限情報記憶部が配置され、前記包装部には、前記試験紙収容部を配置する容器配置部が形成されると共に、前記容器配置部に前記試験紙収容部を配置したときに、前記判定用情報の前記試験紙配置部に前記試験紙を配置可能な試験紙保持部が前記包装部に形成されていることを特徴とする。
【００１７】
前記構成によれば、包装部には、試験紙収容部を配置する配置部が形成されると共に、容器配置部に試験紙収容部を配置したときに、判定用情報の試験紙配置部に試験紙を配置可能な試験紙保持部が包装部に形成されている。
したがって、被検者は、包装部の配置部に試験紙収容部を配置した状態で、試験紙の色調変化部に尿を接触させた後、この試験紙を包装部の試験紙保持部で保持させた状態で、試験紙の色調変化部は、試験紙配置部に配置される。
また、試験紙収容部の表面には、使用期限情報を有する使用期限情報記憶部が配置される。
このため、この状態で、被検者（使用者）は、試験紙等を保持する必要なく、尿試験情報取得装置の撮像装置で色調変化部等を撮像することができ、被検者にとって撮像し易い構成となっていると共に、尿試験情報取得装置が使用期限情報記憶部内の使用期限情報を取得し易い構成となっている。
【発明の効果】
【００１８】
以上説明したように、本発明によれば、正確に尿検査を行うことができる尿試験情報取得装置及び尿試験情報管理システムを提供することができる。
【図面の簡単な説明】
【００１９】
【図１】本発明の尿試験情報管理システムを示す概略図である。
【図２】測定値対応色調表等を示す概略図である。
【図３】図１に示す尿検査用スティックを複数、例えば、１０枚収容するための試験紙収容部である例えば、紙、プラスチック製の容器と、この容器を収容する包装部である例えば、包装箱を示す概略図である。
【図４】バーコード内に記憶されている情報を示す概略説明図である。
【図５】尿検査用スティックを判定用情報の尿検査用スティック配置部に配置した状態を示す概略斜視図である。
【図６】図１の管理サーバの主な構成を示す概略ブロック図である。
【図７】図１の携帯端末の主な構成を示す概略ブロック図である。
【図８】第１の各種情報記憶部の内容を示す概略ブロック図である。
【図９】第２の各種情報記憶部の内容を示す概略ブロック図である。
【図１０】本実施の形態にかかる尿試験情報管理システムの動作例等を示す概略フローチャートである。
【図１１】本実施の形態にかかる尿試験情報管理システムの動作例等を示す他の概略フローチャートである。
【図１２】本実施の形態にかかる尿試験情報管理システムの動作例等を示す他の概略フローチャートである。
【図１３】本実施の形態にかかる尿試験情報管理システムの動作例等を示す他の概略フローチャートである。
【発明を実施するための形態】
【００２０】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の尿試験情報管理システム１を示す概略図である。
図１に示すように、尿試験情報管理システム１は、試験紙である例えば、尿試験用スティック１０を有している。
この尿試験用スティック１０は、被検者（使用者）自身が直接尿をかけるか、被検者が紙コップ等の容器に採取した尿に浸漬（接触）させることで、呈色反応させ色調が変化（呈色）する色調変化部である例えば、尿たん白試験紙１１ａと尿糖試験紙１１ｂを所定の間隔を設けて配置している。
【００２２】
なお、本実施の形態では、一つの尿試験用スティック１０に複数種類、例えば２種類の色調変化部である尿たん白試験紙１１ａと尿糖試験紙１１ｂが配置されている例を用いて以下、説明するが、本発明は、かかる例に限らず、一つの尿試験用スティックに１種類の色調変化部である例えば、尿たん白試験紙のみが配置されている場合や、３種類以上の色調変化部が配置されている場合も含まれる。
【００２３】
ところで、この尿たん白試験紙１１ａは、例えば、テトラブロムフェノールブルーを含み、尿に含まれる尿たん白の量に応じて異なる色調に変化する構成となっている。
また、尿糖試験紙１１ｂは、例えば、グルコースオキシダーセ、ペルオキシターゼ、Ｇ―トリジンを含み、尿に含まれる尿糖の量に応じて異なる色調に変化する構成となっている。
【００２４】
このように、尿たん白試験紙１１ａ及び尿糖試験紙１１ｂは、使用者等の尿との呈色反応で、その色調が変化するが、この変化した色調から、当該尿たん白試験紙１１ａ及び尿糖試験紙１１ｂにおける尿たん白量（ｍｇ／ｄＬ）や尿糖量（ｍｇ／ｄＬ）を測定することになる。
このため、尿検査用スティック１０とは、別に、尿たん白試験紙１１ａ及び尿糖試験紙１１ｂが尿と接触することで変化した色調（色調変化情報の一例）が示す尿たん白量及び尿糖量を記載した色調変化基準情報である例えば、測定値対応色調表２０が必要となる。
【００２５】
図２は、測定値対応色調表２０等を示す概略図である。
図２に示すように、測定値対応色調表２０は、例えば、それぞれ５個ずつの異なる色の色調２０ａ乃至２０ｅ、２０ｆ乃至２０ｊが上下に平行に印刷されている。
具体的には、図２の上段の５個の色調２０ａ乃至２０ｅは、生体情報である例えば、尿たん白の量を示す色調２０ａ等となる。
すなわち、尿検査用スティック１０の尿たん白試験紙１１ａの色が２０ａの色調の色と同じ場合は、尿たん白量は０〜検出限界以下（対応する色調表の記号：「−」）となり、色調２０ｂの色と同じ場合は１５ｍｇ／ｄＬ（対応する色調表の記号：「±」）、色調２０ｃの色と同じ場合は、３０ｍｇ／ｄＬ（対応する色調表の記号：「＋」）、色調２０ｄの色と同じ場合は、１００ｍｇ／ｄＬ（対応する色調表の記号：「＋＋」）、そして、色調２０ｅの色と同じ場合は、２５０ｍｇ／ｄＬ（対応する色調表の記号：「＋＋＋」）であると測定することができる構成となっている。
こうして、測定された尿中の尿たん白量（ｍｇ／ｄＬ）がどの程度であるかを容易に確認できる。
【００２６】
また、図２の下段の５個の色調２０ｆ乃至２０ｊは、尿糖の量を示す色調２０ｆ等となる。
すなわち、尿検査用スティック１０の尿糖試験紙１１ｂの色が２０ｆの色調の色と同じ場合は、尿糖量は０〜検出限界以下（対応する色調表の記号：「−」）となり、色調２０ｇの色と同じ場合は５０ｍｇ／ｄＬ（対応する色調表の記号：「±」）、色調２０ｈの色と同じ場合は、１００ｍｇ／ｄＬ（対応する色調表の記号：「＋」）、色調２０ｉの色と同じ場合は、２５０ｍｇ／ｄＬ（対応する色調表の記号：「  」）、そして、色調２０ｊの色と同じ場合は、５００ｍｇ／ｄＬ（対応する色調表の記号：「＋＋」）であると測定することができる構成となっている。
こうして、測定された尿糖量（ｍｇ／ｄＬ）がどの程度であるかを容易に確認できる。
【００２７】
このように、図１の尿試験用スティック１０は、図２に示す測定値対応色調表２０と共に使用することで、初めて、尿たん白量や尿糖量を測定することができるため、以下のような形態で取り扱われる。
図３は、図１に示す尿検査用スティック１０を複数、例えば、１０枚収容するための防湿性を有する試験紙収容部である例えば、プラスチック製、アルミニウム製の容器３１と、それに螺合して密閉する蓋３１ａ、この容器３１を収容する包装部である例えば、包装箱３０を示す概略図である。
蓋３１ａの内側には、蓋締めが完全でなく緩んでいた場合に湿度の高い保管条件、あるいは長期間にわたる保管により、尿検査用スティック１０の尿たん白試験紙１１ａ，尿糖試験紙１１ｂが空気中の水分を吸湿した場合、その旨を色変化で知らせる吸湿インジケータ（不図示）が貼付けて設けられている。
この吸湿インジケータは、その色変化により吸湿の度合いを知らせるもので、吸湿剤として 例えば塩化コバルト，塩化マグネシウムを含有するシリカゲルを用い、不織布に吸湿剤を塗布するようにして形成されている。
【００２８】
蓋締めが完全でなく緩んでいた場合に湿度の高い保管条件あるいは長期間にわたる保管により、空気中の水分を吸湿し、吸湿度に応じて、青色→薄い青色→白→薄いピンクの順に色変化する性質を利用している。
被検者（使用者）は、その色変化を視認して、青色から薄い青色の場合は「使用可」、白から薄いピンクの場合は「使用不可」と判断する。
また、図３に示すように、容器３１の表面には、上述の測定値対応色調表（色調表の記号を含む）２０を含む判定用情報３２が印刷されている。
上述した測定値対応色調表２０を除く他の判定用情報３２を、図２を用いて説明する。
【００２９】
図２に示すように、判定用情報３２は、図１に示す尿検査用スティック１０を配置する部分を示す試験紙配置部である例えば、尿検査用スティック配置部３３が印刷されている。
具体的には、尿検査用スティック１０の尿たん白試験紙１１ａ及び尿糖試験紙１１ｂを配置する部分が明示されている。このため、使用者が紙コップ等の容器に採取した尿に浸漬（接触）させた尿検査用スティック１０の尿たん白試験紙１１ａ及び尿糖試験紙１１ｂを尿検査用スティック配置部３３に配置し、これらの試験紙の色を測定値対応色調表２０の各色調２０ａ等と比較することができる構成となっている。
【００３０】
また、尿たん白試験紙１１ａと尿糖試験紙１１ｂは、それぞれ色調変化部使用期限情報である例えば、年月日等で示す使用期限情報が定まっている。
このため、本実施の形態では、容器３１に表面に使用期限情報記憶部である例えば、バーコード３７が配置されている。
なお、バーコードは２次元バーコードを用いてもよい。
図４は、バーコード３７内に記憶されている情報を示す概略説明図である。
図４に示すように、このバーコード３７には、容器３１内に収容されている試験紙の種類、例えば、尿たん白試験紙１１ａ、尿糖試験紙１１ｂ等の種類情報と、それぞれ試験紙の使用期限情報が記憶されている。
【００３１】
さらに、本実施の形態では、図５に示すように、尿検査用スティック１０を配置することが可能な構成となっている。
図５は、尿検査用スティック１０を判定用情報３２の尿検査用スティック配置部３３に配置した状態を示す概略斜視図である。
図５に示すように、包装箱３０は、その一部を変形させることで、容器３１を、その判定用情報３２を上面に、安定的に配置する容器配置部３５を形成することができる構成となっている。
【００３２】
また、図５に示すように、包装箱３０には、尿検査用スティック１０を容器３１の判定用情報３２の尿検査用スティック配置部３３に固定配置可能な試験紙保持部である例えば、尿検査用スティック保持部３６が形成されている。
この尿検査用スティック保持部３６は、例えば、尿検査用スティック１０を挿入し、固定配置可能な穴部となっており、この穴部に尿検査用スティック１０の一端部を配置させることで、図４に示すように、尿検査用スティック１０を尿検査用スティック配置部３３に精度良く配置可能な構成となっている。
【００３３】
具体的には、図１の尿検査用スティック１０の尿たん白試験紙１１ａ及び尿糖試験紙１１ｂが、それぞれ、図２の尿検査用スティック配置部３３の尿たん白試験紙配置部３３ａ及び尿糖試験紙配置部３３ｂに対応するように配置される。
したがって、使用者等（被検者自身、被検者の介護者、あるいは看護師等の医療従事者）は、尿検査用スティック１０の尿たん白試験紙１１ａ及び尿糖試験紙１１ｂの色調と、測定値対応色調表２０の色調とを対比し易い構成となっている。
特に、図１に示す尿試験情報取得装置である例えば、カメラ付き携帯端末（以下「携帯端末」という。）１００を用いて、これら尿検査用スティック１０の尿たん白試験紙１１ａ及び尿糖試験紙１１ｂの色調と、測定値対応色調表２０の色調を撮像するときは、被検者が尿検査用スティック１０を把持することなく、撮像動作をすることができるので、撮像し易いという効果も発揮する。
【００３４】
ところで、本実施の形態の尿試験情報管理システム１は、図１に示す、カメラ機能を有すると共に通信が可能な携帯端末１００を有している。
図１に示す、携帯端末１００は、表示部である例えば、カラー表示する端末側ディスプレイ１０１を備えると共に、基地局２及びインターネット網３を介して、例えば、薬局等に配置される管理サーバ２００と通信可能な構成となっている。
また、携帯端末１００の撮像装置である例えば、カメラ（撮像装置）１０２は、例えば、１３００万画素程度となっており、尿検査用スティック１０の尿たん白試験紙１１ａ及び尿糖試験紙１１ｂの色調と、測定値対応色調表２０の色調を精度良く撮像可能な構成となっている。
【００３５】
また、携帯端末１００のカメラ１０２で、図３に示す容器３１の表面に配置されているバーコード３７を撮像し、そのバーコード３７の情報（試験紙の種類、例えば、尿たん白試験紙１１ａ、尿糖試験紙１１ｂ等の種類情報と、それぞれ試験紙の使用期限情報）を取得することができる構成ともなっている。このため、カメラ１０２は，使用期限情報取得部の一例ともなっている。
【００３６】
図１に示す携帯端末１００及び管理サーバ２００は、それぞれコンピュータを有し、これらのコンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続され、カメラ付き携帯端末１００全体の動作・判断・制御を行う。
携帯端末１００のＣＰＵは、後述するアプリケーションソフトウエアの制御も行う。更には、管理サーバ２００の尿試験情報管理に関するソフトウエアの起動・制御も行うことができる。
【００３７】
図６は、図１の管理サーバ２００の主な構成を示す概略ブロック図である。
図６に示すように、管理サーバ２００は、「管理サーバ制御部２０１」を有し、管理サーバ制御部２０１は、携帯端末１００等と通信するための「管理サーバ側通信装置２０２」、各種情報を表示する「管理サーバ側ディスプレイ２０３」及び各種情報を入力するキーボード等の「管理サーバ側入力装置２０４」を制御する構成となっている。
また、管理サーバ制御部２０１は、図６の「管理サーバ側個人情報記憶部２０５」も制御するが、この内容については後述する。
【００３８】
図７は、図１の携帯端末１００の主な構成を示す概略ブロック図である。
図７に示すように、携帯端末１００は、「端末制御部１０３」を有し、端末制御部１０３は、管理サーバ２００等と通信するための「端末側通信装置１０４」、端末側ディスプレイ１０１、カメラ１０２、「計時装置１０５」及び各種情報を入力する「端末側入力装置１０６」等を制御する構成となっている。
また、端末制御部１０３は、図７に示す「第１の各種情報記憶部１２０」及び「第２の各種情報記憶部１４０」も制御する。図８及び図９は、それぞれ、第１の各種情報記憶部１２０及び第２の各種情報記憶部１４０の内容を示す概略ブロック図である。これらの内容については後述する。
【００３９】
図１０乃至図１３は、本実施の形態にかかる尿試験情報管理システム１の動作例等を示す概略フローチャートである。
以下、本フローチャートに沿って動作を説明すると共に、図１乃至図９等の構成についても説明する。
【００４０】
先ず、本実施の形態では、図１の携帯端末１００に、本実施の形態にかかる尿試験情報管理システム１を動作させるためのアプリケーションソフトウエアをダウンロード等させる。
具体的には、カメラ１０２で撮像する尿検査用スティック１０の尿たん白試験紙１１ａ及び尿糖試験紙１１ｂの色調及び測定値対応色調表２０の色調の画像データを取得すると共に、管理サーバ２００へ送信等するためのアプリケーションである。
また、このアプリケーションは、図３の容器３１に配置されているバーコード３７をカメラ１０２で撮像することで、その容器３１内に収容されている尿検査用スティック１０の試験紙の種類及び使用期限情報を携帯端末１００が取得可能な構成ともなっている。
【００４１】
本実施の形態では、先ず、尿たん白と尿糖の測定をしようとする被検者（使用者）が、図３に示す包装箱３０と容器３１を用意する。そして、携帯端末１００にダウンロード等したアプリーションを起動させる。
この状態で、図１０のステップＳＴ（以下「ＳＴ」とする。）１へ進む。ＳＴ１では、図１の端末側ディスプレイ１０１に「使用期限を確認するため容器を撮像してください」旨が表示される。
【００４２】
この表示を視認した被検者（使用者）は、図３に示すように包装箱３０から容器３１を取り出し、容器３１の表面に配置されているバーコード３７を、携帯端末１００のカメラ１０２で撮像する。
すると、ＳＴ２へ進む。ＳＴ２では、携帯端末１００のカメラ１０２で撮像することで、バーコード３７のデータを取得する。本実施の形態のバーコード３７のデータは、図４に示すように「尿たん白試験紙」と「尿糖試験紙」で、それぞれの使用期限が「２０１４年００月００日」と「２０１４年００月００日」となっている。
したがって、携帯端末１００は、これらのバーコード３７の情報を取得し、図８の「試験紙及び使用期限情報記憶部１２１」に記憶する。
【００４３】
なお、本実施の形態では、バーコード３７に、試験紙の種類情報（尿糖等）と、その使用期限情報を記憶させたが、本発明はこれに限らず、バーコード３７の代わりにＩＣ（半導体集積回路）チップを使用してもよい。この場合はＩＣチップにかかる情報が記憶されると共に、携帯端末１００は、図７に示す端末側通信装置１０４等を用いて、ＩＣチップと近距離通信等を行い、ＩＣチップ内の情報を取得することになる。
【００４４】
また、本実施の形態では、容器３１の尿検査用スティック１０には、２種類の試験紙が配置されているが、本発明は、これに限らず、１種類でも３種類以上であっても構わない。
【００４５】
ところで、ＳＴ２の次に、ＳＴ３の工程が実行される。ＳＴ３では、図８の「使用期限徒過判断部（プログラム。）１２２」が動作し、試験紙及び使用期限情報記憶部１２１の各試験紙の「使用期限」と図７の計時装置１０５の現在時刻情報等を参照し、当該使用期限が徒過したか否かを判断する。
ＳＴ３で、尿たん白試験紙１１ａ及び尿糖試験紙１１ｂのいずれか、又は両方の使用期限が徒過していると判断されたときは、ＳＴ４へ進む。ＳＴ４では、使用期限を徒過している試験紙名を端末側ディスプレイに表示し、動作を終了する。なお、本実施の形態では、表示の例で説明しているが、本発明は、表示及び／または音声で報知し、好ましくは、さらに、その後に撮像を行わない旨のアラーム（表示及び／または音声）を行ってから動作を終了しても構わない。
【００４６】
したがって、本実施の形態では、被検者（使用者）が、使用期限を徒過した試験紙を使用して、尿検査をすることを未然に防ぐことができ、不正確な検査結果等の発生も未然に防止することができる。
このため、図１の管理サーバ２００に記憶されるデータの精度の低下を防ぐことができる。
【００４７】
一方、ＳＴ３で、尿たん白試験紙１１ａ及び尿糖試験紙１１ｂのいずれか、又は両方の使用期限が徒過していないと判断されたときは、ＳＴ５へ進む。ＳＴ５では、図８の「使用期限１週間前判断部（プログラム）１２３」が動作し、試験紙及び使用期限情報記憶部１２１と計時装置１０５を参照し、尿たん白試験紙１１ａ等の試験紙が使用期限まで所定日数以内、例えば１週間以内であるか否かを判断する。
【００４８】
ＳＴ５で、尿たん白試験紙１１ａ、尿糖試験紙１１ｂのいずれか又は一方の使用期限が１週間以内であると判断されたときは、ＳＴ６へ進む。ＳＴ６では、該当する試験紙名を特定し、端末側ディスプレイ１０１に、使用期限が１週間以内に迫っている旨表示する。
したがって、本実施の形態では、使用期限が到来していない試験紙であっても、使用期限到来が近いことを被検者（使用者）に報知することで、注意を促すことができる。
【００４９】
一方、ＳＴ５で、尿たん白試験紙１１ａ等の使用期限が１週間以内でないと判断されたときは、ＳＴ７へ進む。ＳＴ７では、使用期限１週間以内の試験紙が存在しない旨を端末側ディスプレイ１０１に表示する。
これにより、被検者（使用者）は当該試験紙の使用期限に未だ余裕があることを知ることができる。
【００５０】
また、本実施の形態では、上述の使用期限等の情報を端末側ディスプレイ１０１に表示する例で説明したが、本発明は、これに限らず、音声等で報知する構成としても構わない。
【００５１】
次いで、ＳＴ８へ進む。ＳＴ８では、携帯端末１００の端末側ディスプレイ１０１に「試験紙に尿をかけたときにカメラの上で手を振ってください」と表示される。
そして、ＳＴ９で、被検者（使用者）が図１の尿試験用スティック１０に被検者（使用者）の尿をかけ、携帯端末１００のカメラ１０２の上で手を振る動作を行う。
【００５２】
次いで、ＳＴ１０へ進む。ＳＴ１０では、図８の「動作検知部（プログラム）１２４」が動作し、カメラ１０２が動作し、所定時間内に所定速度の手の移動動作を検知したか否かを判断する。すなわち、被検者（使用者）が手を振ったか否かを検知する。
ＳＴ１０で、被検者（使用者）が手を振ったことを検知した場合は、ＳＴ１１へ進む。
【００５３】
ＳＴ１１では、図８の試験紙及び使用期限情報記憶部１２１と，図８の「試験紙種類別測定時間情報記憶部１２５」を参照する。
この試験紙種類別測定時間情報記憶部１２５は、試験紙毎の所定の呈色反応（即ち、色調変化情報）が出る（発現）までの最適な経過時間（秒）である測定検査時間のデータが記憶されている。例えば、尿たん白試験紙１１ａの場合は１０秒、尿糖試験紙１１ｂの場合は３０秒である。
【００５４】
そして、ＳＴ１１では、当該試験紙、本実施の形態では尿たん白試験紙１１ａと尿糖試験紙１１ｂと、これらの試験紙の測定検査時間（本実施の形態では、１０秒と３０秒）を特定し、図７の計時装置１０５の計時測定を開始する。
【００５５】
次いで、ＳＴ１２へ進む。ＳＴ１２では、被検者（使用者）が、包装箱３０の一部を変形させ、図５に示すように容器配置部３５を形成する。
また、容器３１は、その表面に印刷されている判定用情報３２が上面に位置するように、容器配置部３５に配置される。
【００５６】
次いで、被検者（使用者）が尿をかけた尿検査用スティック１０を、包装箱３０の尿検査用スティック保持部３６の穴部に挿入し、尿検査用スティック１０の尿たん白試験紙１１ａ及び尿糖試験紙１１ｂを、判定用情報３２の尿検査用スティック配置部３３に配置する。
これにより、尿検査用スティック１０の尿たん白試験紙１１ａ及び尿糖試験紙１１ｂは、それぞれ、図２の判定用情報３２の尿たん白試験紙配置部３３ａ及び尿糖試験紙配置部３３ｂに精度良く配置される。
そして、その撮像領域に、尿たん白試験紙１１ａ等と、それらの判定用情報３２の測定値対応色調表２０が含まれるように、携帯端末１００のカメラ１０２を配置する。
【００５７】
次いで、ＳＴ１３に進む。ＳＴ１３では、図８の動作検知部（プログラム）１２４が、尿たん白試験紙１１ａと尿糖試験紙１１ｂと、これらの試験紙の測定検査時間（本実施の形態では、１０秒と３０秒）を特定し、計時装置１０５を参照しつつ、その短い時間である１０秒が経過したか否かを判断する。
【００５８】
ＳＴ１３で、１０秒が経過したと判断したときは、ＳＴ１４で、携帯端末１００がカメラ１０２のシャッターを動作させる。
このように、本実施の形態では、試験紙に尿を接触させた（かけた）ときから、その所定の呈色反応（即ち、色調変化情報）が出る（発現）までの最適な経過時間（秒）を正確に計測して、画像を取得することができる。
また、その正確な時間を計測する際、携帯端末１００のカメラ１０２に対して、使用者が手を振るだけで良いので、極めて簡易に、時間の測定を開始できる。
【００５９】
特に、尿たん白試験紙１１ａ等に尿をかけた状態で、尿試験用スティック１０を持ちながら、携帯端末１００を操作し、測定時間の計測を開始させることは、極めて困難であるため、本実施の形態の構成により、被検者（使用者）は極めて容易に時間の測定を開始することができる。
【００６０】
また、このとき、本実施の形態では、図５に示すように、尿検査用スティック１０は、包装箱３０の尿検査用スティック保持部３６に保持され、精度良く尿検査用スティック配置部３３に配置されるので、被検者（使用者）は、尿検査用スティック１０を判定用情報３２上に手で持ちながら配置させつつ、携帯端末１００を保持する必要がない。すなわち、携帯端末１００の保持のみに専念することができるので、当該写真を撮像し易い構成となっている。
【００６１】
次いでＳＴ１５へ進む。ＳＴ１５では、カメラ１０２が撮像した画像データ（尿検査用スティック１０の尿たん白試験紙１１ａ等の色調（色調変化情報の一例）並びに判定用情報３２で、測定値対応色調表２０等）を、図９の「端末側個人情報記憶部１４１」に「尿たん白情報」として、その撮像日時情報と共に記憶させる。
この時、機能キーとしての入力キー（不図示）として、端末側ディスプレイ１０１に、色調表の記号（「−」、「±」、「＋」、「＋＋」、「＋＋＋」）を表示させ、該当する色調表の記号を記憶させるようにしてもよい。
【００６２】
図９の「端末側個人情報記憶部１４１」に示すように、「尿たん白情報」には、撮像された尿検査用スティック１０の尿たん白試験紙１１ａ等の色調及び測定値対応色調表２０等がカラー（色彩付き）で記憶される。併せて、いわゆるタイムスタンプと称される測定日時情報が、好ましくは秒単位で記憶される（図９の例では、２０１４年１月１０日１３時３０分３０秒）。更に好ましくは、個人識別情報として、患者である被検者（使用者）の氏名も含む。
このとき、カメラ１０２は、その画素数が１３００万画素となっているため、鮮明な画像情報として記憶されることになる。
【００６３】
また、尿たん白情報としては、尿を「尿たん白試験紙１１ａ」に接触させた後、１０秒後の色調が最も適切な尿たん白値を示すため、本実施の形態は、最適なタイミングにおける尿たん白試験紙１１ａの色調を端末側個人情報記憶部１４１に記憶させることができる。
【００６４】
ＳＴ１６で、３０秒経過したと判断されたときは、ＳＴ１７へ進む。ＳＴ１７では、カメラ１０２が自動的に動作し、撮像する。そして、このカメラ１０２が撮像した画像データ（尿検査用スティック１０の尿糖試験紙１１ｂ等の色調（色調変化情報の一例）並びに判定用情報３２の測定値対応色調表２０等）を図９の「端末側個人情報記憶部１４１」に「尿糖情報」として、その撮像日時情報と共に記憶させる。
図９に示すように、「尿糖情報」には、撮像された尿検査用スティック１０の尿糖試験紙１１ａ等の色調及び測定値対応色調表２０等がカラー（色彩付き）で記憶される。併せて、いわゆるタイムスタンプと称される測定日時情報が、好ましくは秒単位で記憶される（図９の例では、２０１４年１月１０日１３時３０分３０秒）。
このとき、カメラ１０２は、上述のように、その画素数が１３００万画素となっているため、鮮明な画像情報として記憶されることになる。
【００６５】
また、尿糖情報としては、尿を「尿糖試験紙１１ｂ」に接触させた後、３０秒後の色調が最も適切な尿糖値を示すため、本実施の形態は、最適なタイミングにおける尿糖試験紙１１ｂの色調を端末側個人情報記憶部１４１に記憶させることができる。
この時、入力キー（不図示）として、端末側ディスプレイ１０１に、色調表の記号（「−」、「±」、「＋」、「＋」、「  」、「＋＋」）を表示させ、該当する色調表の記号を記憶させるようにしてもよい。
【００６６】
次いで、ＳＴ１８へ進む。ＳＴ１８では、図９の「尿たん白色調判断部（プログラム）１４２」が動作し、図９の端末側個人情報記憶部１４１の「尿たん白情報」の「尿たん白試験紙１１ａ」の色調と「測定値対応色調表２０」の色調２０ａ乃至２０ｅとを比較し、色調２０ａ乃至２０ｅのいずれかの色調が最も近いかを判断する。そして、最も近い特定された色調２０ａ等を、端末側個人情報記憶部１４１の尿たん白情報の色調情報に記憶させる。
【００６７】
このように、本実施の形態では、被検者（使用者）自身が直接尿をかけるか、紙コップ等の容器に採取した尿に浸漬（接触）させた後、被検者（使用者）自身又は看護師等の医療従事者が、尿たん白試験紙１１ａの色調と最も近い色調２０ａ等を自動的に選択判断する。
これら各色調２０ａ等は、図２に示すように、その尿たん白値と関連付けられているので、色調２０ａ等を判断することで、尿たん白の値も自動的に特定することが可能となっている。
この特定された尿たん白の測定値は、後述するように、管理サーバ２００へ送信され、そこにアクセス可能な固定端末（不図示）または携帯端末（不図示）を有する専門家である医師や薬剤師等による確認・判断の参考とされる。
【００６８】
なお、本実施の形態では、携帯端末１００が、尿たん白試験紙１１ａの色調と最も近い色調２０ａ等を測定値対応色調表２０から自動的に選択している。しかし、本発明はこれに限らず、携帯端末１００の端末側ディスプレイ１０１に、尿たん白試験紙１１ａの色調及び測定値対応色調表２０の色調２０ａ等を同時に、又は各色調２０ａ等を各別に順番に表示し、この表示を視認した被検者（使用者）に最も近い色調２０ａ等を選択させる構成としても構わない。
【００６９】
次いで、ＳＴ１９へ進む。ＳＴ１９では、図９の「尿糖色調判断部（プログラム）１４３」が動作し、図９の端末側個人情報記憶部１４１の「尿糖情報」の「尿糖試験紙１１ｂ」の色調と「測定値対応色調表２０」の色調２０ｆ乃至２０ｊとを比較し、色調２０ｆ乃至２０ｊのいずれかの色調が最も近いかを判断する。そして、最も近い特定された色調２０ｆ等を、端末側個人情報記憶部１４１の尿糖情報の色調情報に記憶させる。
【００７０】
このように、本実施の形態では、被検者（使用者）が尿をかけた尿糖試験紙１１ｂの色調と最も近い色調２０ｆ等を自動的に選択判断する。これら各色調２０ｆ等は、図２に示すように、その尿糖値と関連付けられているので、色調２０ｆ等を判断することで、尿糖の値も自動的に特定することが可能となっている。
この特定された尿糖の測定値は、後述するように、管理サーバ２００へ送信され、そこにアクセス可能な固定端末（不図示）または携帯端末（不図示）を有する専門家である医師や薬剤師等による確認・判断の参考とされる。
【００７１】
なお、本実施の形態では、携帯端末１００が、尿糖試験紙１１ｂの色調と最も近い色調２０ｆ等を測定値対応色調表２０から自動的に選択している。しかし、本発明はこれに限らず、携帯端末１００の端末側ディスプレイ１０１に、尿糖試験紙１１ｂの色調及び測定値対応色調表２０の色調２０ｆ等を同時に、又は各色調２０ｆ等を各別に順番に表示し、この表示を視認した被検者（使用者）に最も近い色調２０ｂ等を選択させる構成としても構わない。
【００７２】
次いで、ＳＴ２０へ進む。ＳＴ２０では、図９の「高尿糖判断警告部（プログラム）１４４」が動作し、図９の端末側個人情報記憶部１４１の「尿糖情報」の「色調情報」が、色調２０ｉ又は色調２０ｊであるか否かが判断させる。
すなわち、尿糖の値が正常範囲を逸脱しているか否かを判断する。
【００７３】
ＳＴ２０で、「尿糖情報」の「色調情報」が、色調２０ｉ又は色調２０ｊであると判断されたときは、ＳＴ２１で、端末側ディスプレイ１０１に、例えば、「糖尿病のおそれがあります。検査してください。」という警告が表示されると共に、図９の「端末側個人情報記憶部１４１」のに高尿糖警報情報ありと記録される。
したがって、本実施の形態では、尿糖の値が正常範囲を超えている場合や数回の測定の平均が正常範囲を超えている場合は、その旨を被検者（使用者）に迅速に知らせることができ、被検者が病院等へ行くことを促すこともできる。
【００７４】
次いで、ＳＴ２２へ進む。ＳＴ２２では、図１の携帯端末１００が、図９の端末側個人情報（当該被検者である使用者の「個人識別番号」を含む）を薬局に配置される管理サーバ２００へ送信し、ＳＴ２３で、図６の管理サーバ側個人情報記憶部２０５に記憶される。
この情報は、個人識別番号に基づき蓄積されるため、管理サーバ側個人情報記憶部２０５に尿たん白情報や尿糖情報が蓄積される。
したがって、携帯端末１００の端末側ディスプレイ１０１に表示させたり、プリントアウトすることでこのデータを出力して、医師や看護師等の医療従事者が確認し検討することで、当該個人識別番号の被検者（使用者）の測定値のトレンド（傾向）を把握でき、糖尿病や腎機能に関わる病気の治療の参考とすることができる。
【００７５】
また、この管理サーバ側個人情報記憶部２０５に記憶されている尿たん白試験紙１１ａの色調や尿糖試験紙１１ｂの色調の画像は、それぞれ、最適のタイミングで撮像したデータである。さらに、その色調は、カメラ付き携帯端末１００のカメラの精度が高いため、その色調は精度良く再現される。
したがって、尿たん白情報及び尿糖情報の画像情報から医師等が正確に対応する色調ａ等を「測定値対応色調表２０」から爾後に選択し直す、又は、確認することができる。
このため、被検者（使用者）が取得した尿のデータを有効且つ適切に利用することが可能となる。
【００７６】
なお、本実施の形態では、携帯端末１００に備わっているライトを照射して、尿たん白試験紙１１ａ等を撮像する構成とすることもできる。
この場合は、一定の明るさで撮像することができるので、当該尿たん白試験紙１１ａ等の色調が、測定値対応色調表２０のどの色調２０ａ等に対応する（色調が近い）か等をより精度良く判断することができる。
【００７７】
ところで、本発明は、上述の実施の形態に限定されない。本実施の形態では、管理サーバ２００は薬局に配置されているが、本発明はこれに限らず、病院等に配置されていても構わない。また、本実施の形態では、尿検査用スティック１０には、尿たん白試験紙１１ａと尿糖試験紙１１ｂ配置されているが、いずれか一つのみでもよく、また、他の生体情報の試験紙を有していても構わない。
携帯端末１００は、個人用にも病院用にも適用できるようにいずれで使用するかのモード選択機能を備えてもよい。
病院用の場合、バーゴード読取り部を設けて、被検者である患者（使用者）に装着し、ベッドサイドに設けられたバーコードを読み取り、当該患者名を特定し、端末側ディスプレイ１０１に表示させて確認した後、当該患者名も併せて、「端末側個人情報記憶部１４１」に「尿たん白情報」、「尿糖情報」として、その撮像日時情報と共に記憶させることができるようにするとよい。
【００７８】
また、ＳＴ１の前に、吸湿インジケータの色変化をカメラ１０２で撮像して判断し、検査ができる色変化であることを条件にＳＴ１に進むようにしてもよい。また、検査ができない色変化であればその旨のアラームを表示及び／または音声を発生させて、被検者が尿検査用スティックによる検査を行わないように喚起するようにしてもよい。
【００７９】
また、上述の説明では、使用期限を徒過している場合、ＳＴ４で、試験紙名を携帯端末１００の端末側ディスプレイ１０１に表示及び／または音声で報知し、好ましくは、さらにその後に撮像を行わない旨のアラーム（表示及び／または音声）を行い、動作を終了するようにした。
しかし、本発明は、これに限らず、徒過した使用期限が数日程度以内の場合、機能キーによりアラームを解除して、尿と反応した尿たん白試験紙１１ａ，尿糖試験紙１１ｂを撮像できるようにして「尿たん白情報」、「尿糖情報」として、その撮像日時情報と共に端末側個人情報記憶部１４１に参考情報として記憶させてもよい。この場合は、参考情報である旨のメモ等を併せて記憶する。
【符号の説明】
【００８０】
１・・・尿試験情報管理システム、２・・・基地局、３・・・インターネット網、１０・・・尿検査用スティック、１１ａ・・・尿たん白試験紙、１１ｂ・・・尿糖試験紙、２０・・・測定値対応色調表、２０ａ乃至２０ｊ・・・色調、３０・・・包装箱、３１・・・容器、３１ａ・・・蓋、３２・・・判定用情報、３３・・・尿検査用スティック配置部、３３ａ・・・尿たん白試験紙配置部、３３ｂ・・・尿糖試験紙配置部、３５・・・容器配置部、３６・・・尿検査用スティック保持部、３７・・・バーコード、１００・・・カメラ付き携帯端末（携帯端末）、１０１・・・端末側ディスプレイ、１０２・・・撮像装置（カメラ）、１０３・・・端末制御部、１０４・・・端末側通信装置、１０５・・・計時装置、１０６・・・端末側入力装置、１２０・・・第１の各種情報記憶部、１２１・・・試験紙及び使用期限情報記憶部、１２２・・・使用期限徒過判断部（プログラム。）、１２３・・・使用期限１週間前判断部（プログラム）、１２４・・・動作検知部（プログラム）、１２５・・・試験紙種類別測定時間情報記憶部、１４０・・・第２の各種情報記憶部、１４１・・・端末側個人情報記憶部、１４２・・・尿たん白色調判断部（プログラム）、１４３・・・尿糖色調判断部（プログラム）、１４４・・・高尿糖判断警告部（プログラム）、端末側個人情報記憶部、１０７ａ・・・端末側個人情報、１０８・・・尿たん白色調判断部（プログラム）、１０９・・・尿糖色調判断部（プログラム）、１１０・・・高尿糖判断警告部（プログラム）、２００・・・管理サーバ、２０１・・・管理サーバ制御部、２０２・・・管理サーバ側通信装置、２０３・・・管理サーバ側ディスプレイ、２０４・・・管理サーバ側入力装置、２０５・・・管理サーバ側個人情報記憶部
【図１】
0006491868.tif 000002
【図２】
0006491868.tif 000003
【図３】
0006491868.tif 000004
【図４】
0006491868.tif 000005
【図５】
0006491868.tif 000006
【図６】
0006491868.tif 000007
【図７】
0006491868.tif 000008
【図８】
0006491868.tif 000009
【図９】
0006491868.tif 000010
【図１０】
0006491868.tif 000011
【図１１】
0006491868.tif 000012
【図１２】
0006491868.tif 000013
【図１３】
0006491868.tif 000014